(57)【要約】【課題】  屋外に設置された飲食用のテーブルや作業台についた利用者に確実に送風することができ、屋外での飲食や作業などの際の快適性を向上させることができる送風装置および上昇風発生用送風機を提供する。【解決手段】  テーブル５に上昇風Ｐを発する送風機２を支持させ、上方に風案内傘３を配する。送風機２の吸込口には空気フィルタ21を取り付ける。上昇風Ｐは風案内傘３の内側面に沿ってＲ方向に流れて方向が変更され、風案内傘３の傘部3bの周縁部からは下方に向かう下降風Ｑが生じ、テーブルを囲んだり、周囲に着座したりして居る者に対して上方から送風する。夏季には、前記風案内傘３で日差しを遮りながら送風を受けて、冬季には前記送風機２から温風を発生させることにより、屋外での飲食などの際の快適性が確保される。【選択図】        図１
2020012463.tif 000002
【特許請求の範囲】
【請求項１】
上昇風を発生する送風機と、
前記送風機の吸込口または吐出口に設けた空気フィルタと、
前記上昇風を受けて、該上昇風の方向と交差する方向に送風方向を変更する風向変更装置と、
を備え、
前記風向変更装置により前記送風機の周辺部に送られる方向の下降風を生じさせることを特徴とする送風装置。
【請求項２】
前記送風機を支持台に連繋して設け、
前記支持台に支持フレームを取り付け、
前記支持フレームに前記風向変更装置を支持させることを特徴とする請求項１に記載の送風装置。
【請求項３】
前記風向変更装置は平面視が円形または多角形の傘状に形成された傘部を有し、
前記送風機からの風を前記傘部の中心線に沿って上昇させ、この上昇風を該傘部の内側面に沿って案内して方向を変更させることを特徴とする請求項１または請求項２に記載の送風装置。
【請求項４】
前記風向変更装置は種々の形状のものが交換可能に互換性を備えていることを特徴とする請求項１から請求項３までのいずれかに記載の送風装置。
【請求項５】
上昇風を発生する送風機と、
前記上昇風を受けて、該上昇風の方向と交差する方向に送風方向を変更する風向変更装置と、
を備え、
前記風向変更装置により前記送風機の周辺部に送られる方向の下降風を生じさせ、
前記送風機をテント内に配置し、
前記風向変更装置をテントの屋根部とすることを特徴とする送風装置。
【請求項６】
前記送風機の吸込口または吐出口に空気フィルタを設けたことを特徴とする請求項５に記載の送風装置。
【請求項７】
前記送風機を支持台に連繋して設けたことを特徴とする請求項５または請求項６に記載の送風装置。
【請求項８】
前記送風機から温風を送ることができることを特徴とする請求項１から請求項７までのいずれかに記載の送風装置。
【請求項９】
前記送風機の吐出口に複数個の遮蔽板を設け、該遮蔽板によって吐出口の一部を開閉可能として、所望の方向への風の吹き出しを遮断できることを特徴とする請求項１から請求項８までのいずれかに記載の送風装置。
【請求項１０】
前記支持台が飲食に供することができるテーブルであることを特徴とする請求項２から請求項４、請求項７から請求項９までのいずれかに記載の送風装置。
【請求項１１】
前記送風装置に用いられる上昇風発生用送風機であって、
吐出口が上方を指向している状態で支持台に連繋して支持されていることを特徴とする上昇風発生用送風機。
【発明の詳細な説明】
【技術分野】
【０００１】
この発明は、作業台で作業を行う作業者や飲食用テーブルなどの利用者に上方から送風することができるようにした送風装置および上昇風生成用送風機に関する。
【背景技術】
【０００２】
休憩所などであって、飲食や会話などを行えるようにテーブルが設置されている場所がある。例えば、テーマパークの休憩所やコンビニエンスストアの入口前広場、ファーストフード店の屋外広場、コーヒーショップのテラス席、飲食物の自動販売機の近傍などでは、飲食しながら会話を楽しんだりできるようにテーブルが設置されている場合がある。このような休憩所などであって屋外に設置されているテーブルでは、夏季の日差しを遮るように、ビーチパラソルのような大型の傘がテーブルに配されているものがある。あるいは、複数個のテーブルが大型のテントで覆われたりしている。
【０００３】
しかしながら、地面からの照り返しが強い場合や外気温度が高い場合には、休憩所の利用者は高温にさらされてしまい、日差しが遮られても暑気を十分に回避することができないおそれがある。このため、休憩所に屋外用扇風機を設置して送風することが考えられる。あるいは、テーブルごとに扇風機を配することが考えられ、例えば、テーブルの端部にクリップで支持させることができるようにした扇風機がある（特許文献１参照）。
【０００４】
屋外用扇風機としては、三脚などのスタンドに昇降可能に設けられた支持ロッドの上部に送風部が取り付けられたスタンド式扇風機や、矩形の傾斜したフレームの内側に送風部が設けられた大型ファンなどのように、主として工場などで利用される扇風機が市販されている。しかし、これらの扇風機は風圧が大きく休憩所に設置した場合には、利用者にとっては強過ぎる風となって適宜に寛ぐことには不向きである。また、テーブルにクリップで支持させる方式のものでは小型であるため、首振り機構を具備させることが難しくなり、テーブルを囲んだ全ての者に送風することは困難である。また、携帯用の扇風機があるが（特許文献２参照）、携帯する者に送風することが主であってテーブルを囲んだ者の全員に送風するものではない。
【０００５】
一方、広範囲に送風可能とされた扇風機が、特許文献３や特許文献４に開示されている。
また、特許文献５には、家屋の壁面などに配設されたガイドに沿って移動可能な送風機を備えた移動送風装置が開示されている。
また、特許文献６には、天井面に設けられて、羽根板の回転より上方から送風を行う天井扇が開示されている。
【先行技術文献】
【特許文献】
【０００６】
【特許文献１】特開２００２−２２１１８５号公報
【特許文献２】特開１９９８−０５４３９３号公報
【特許文献３】特開２０１３−１２７２１６号公報
【特許文献４】特開２００４−３２４６４０号公報
【特許文献５】特開２０１４−０３１７４２号公報
【特許文献６】特開２０１２−００２２３３号公報
【発明の概要】
【発明が解決しようとする課題】
【０００７】
特許文献１と特許文献２に開示された扇風機では、広範囲の送風には不適であるので、休憩所などの利用者に行き渡るように送風することには適していない。
また、特許文献３に開示された扇風機では水平方向３６０度で送風の方向を変更できるようにしたものであり、水平方向へ送風することが基本とされている。また、特許文献４に開示された扇風機では、背面で組み合わされた一対の扇風機で反対方向に送風することにより広範囲への送風が可能であるが、水平方向へ送風するものである。これらの扇風機は屋内での使用を前提とするものであると共に、これらの扇風機のように水平方向へ送風するものでは、休憩所などのような複数個のテーブルなどがある場所では扇風機から離れた場所には風が届かず、送風がされないテーブルなどが存在する。また、送風域に障害物が存在する場合には風路が遮られて風の届かない場所が生じるおそれがある。なお、複数台の扇風機を設置することで風の届かない場所をなくすことができるが、設置される場所によっては利用者の歩行などの邪魔になってしまい好ましくない。
【０００８】
また、特許文献５には、扇風機を移動可能として広範囲への送風を行えるようにした移動送風装置が開示されているが、送風機の移動を案内するガイドを必要とするから、壁面などにガイドを設置できる屋内などでなければならず、屋外の設置には適さない。
【０００９】
さらに、特許文献６には上方から下降風を送るものとして天井に設置される天井扇が開示されているが、この種の天井扇は主として屋内の空気循環を促進させるものであって、屋外の休憩所などの利用者に送風するものではない。
【００１０】
そこで、この発明は、屋外に設置されたテーブルなどを利用して飲食や会話を楽しんだり休憩したりする場合に、当該テーブルの利用者に確実に送風できて、これらの利用者が快適に過ごせることができるようにする送風装置および上昇風発生用送風機を提供することを目的としている。
【課題を解決するための手段】
【００１１】
前記の目的を達成するための技術的手段として、この発明に係る送風装置は、上昇風を発生する送風機と、前記送風機の吸込口または吐出口に設けた空気フィルタと、前記上昇風を受けて、該上昇風の方向と交差する方向に送風方向を変更する風向変更装置とを備え、前記風向変更装置により前記送風機の周辺部に送られる方向の下降風を生じさせることを特徴としている。
【００１２】
前記送風機により発生された上昇風が前記風向変更装置に衝突すると、その方向が変更される。変更後には上昇風の方向と交差する方向となり、この風向変更装置で折れ曲がるように方向を変更させると下降風が生じる。この下降風は前記送風機の周辺部に送られるから、この送風機を囲む位置に居る利用者に下降風が当たることになり、夏季などではこの風を受けて涼むことができる。
【００１３】
しかも、送風機からは空気フィルタを通した空気が発生するから、塵埃などが含まれていない清浄な空気が送風される。特に、この空気フィルタが、ＰＭ２．５を除去できるものであれば、微小粒子状物質を除去できて、この送風装置により送風を受ける利用者の快適性が向上する。
【００１４】
なお、吐出口には多数の透孔が形成されたカバーや網体によるカバーなどが被せられ、吐出される風がこの種のカバーを通過して送られるようにしても構わない。吐出口は上方を指向しているから、適宜なカバーを設けることで、異物などがこの吐出口から侵入しないようになって好ましい。
【００１５】
また、前記送風機を支持台に連繋して設け、前記支持台に支持フレームを取り付け、前記支持フレームに前記風向変更装置を支持させることができる。
【００１６】
前記送風機を任意の支持台に連繋させて設けるようにしたものである。例えば、支持台に送風機の胴部を挿通できる透孔を形成し、この透孔に送風機を挿通させて保持させるようにすることができる。支持台には工作作業などのための作業台や飲食などのためのテーブルが含まれ、この支持台上に単に載置した状態では振動などによって送風機が移動してしまうおそれがあるから、載置された位置から移動しないように規制することを要する場合がある。また、送風機からは上昇風が発生するから、前記風向変更装置は送風機の上方に配されて支持される必要があり、風向変更装置を支持フレームに支持させ、この支持フレームで前記送風機を当該位置に規制するようにしてある。
【００１７】
また、前記風向変更装置は平面視が円形または多角形の傘状に形成された傘部を有し、前記送風機からの風を前記傘部の中心線に沿って上昇させ、この上昇風を該傘部の内側面に沿って案内して方向を変更させることが好ましい。
【００１８】
送風機の吐出口から発生する上昇風は、柱状となって鉛直方向に流れる。
そして、風向変更装置の傘部を平面視で円形や多角形の傘状に形成して、前記上昇風をこの傘部の中心線、すなわち該傘部を支持する柄の部分に沿って上昇させる。なお、前記支持フレームにはこの柄の端部を支持させることができるようにする。上昇風は傘部の内側面に沿って方向が変更されて、該傘部の周縁部からは下方に向かう下降風が生じることになり、この風向変更装置の下方に居る利用者に風が当たることになる。なお、下降風は傘部の内側面に沿って方向が変更されて生じるため、該風向変更装置の中心線を中心とする円の周囲に３６０度の範囲で送られる。
【００１９】
また、前記風向変更装置は種々の形状のものが交換可能に互換性を備えていることが好ましい。
【００２０】
前記風向変更装置の、例えば大きさや形状、配される高さ位置などを異ならせた種々のものを用意し、所望の大きさなどのものを選択することにより、支持台の大きさや形状に応じて下降風の到達場所を変更できるようにしたものである。
【００２１】
また、上昇風を発生する送風機と、前記上昇風を受けて、該上昇風の方向と交差する方向に送風方向を変更する風向変更装置とを備え、前記風向変更装置により前記送風機の周辺部に送られる方向の下降風を生じさせ、前記送風機をテント内に配置し、前記風向変更装置をテントの屋根部とすることを特徴としている。
【００２２】
風向変更装置を前述のような傘部で形成する場合には、送風機からの送風が支持台の周辺のような狭い範囲に留まる。このため、支持台での作業を行う場合には好ましい。しかし、多少広い範囲を動き回ったりすることが必要となる場合には、傘状の傘部では利用者に送風が行き渡らずに不都合が生じるおそれがある。そこで、テント内に送風機を配置し、このテントの屋根部を風向変更装置としたものである。
このため、このテント内で動き回ることが可能となり、また、テント内に複数の支持台と送風機を配置して、利用者の数を増加させることができる。
なお、ここで、テントとは、例えば日よけ用テントのように、適宜本数の支柱で屋根形状のシートからなる屋根部が支持されて構成されたものである。
【００２３】
また、この発明に係る送風装置は、テント内に配置して上方に向けて風を送る送風機の吸込口または吐出口に空気フィルタを設けることが好ましい。
【００２４】
テント内へ空気フィルタを通して清浄な空気を送風しようとするものである。
【００２５】
また、前記送風機は、支持台に連繋して設けることが好ましい。
【００２６】
送風機はパイプや形鋼などで組み立てられた適宜なフレームに保持させて、例えば地上に置いた状態で用いることができるが、テーブルや作業台などの支持台に連繋して設けたものである。
【００２７】
また、前記送風機から温風を送ることができるようにすることが好ましい。
【００２８】
前記送風機から温風を吹き出させることで、冬季には暖を取りながら利用者が飲食や会話を行えるようにしたものである。
【００２９】
また、前記送風機の吐出口に複数個の遮蔽板を設け、該遮蔽板によって吐出口の一部を開閉可能として、所望の方向への風の吹き出しを遮断できることが好ましい。
【００３０】
例えば、利用者の中に風に当たることを好まない者が居る場合には、前記遮蔽板により吐出口の一部を閉じることにより、その者に風が当たらないようにしたものである。
【００３１】
また、前記支持台が飲食に供することができるテーブルであることが好ましい。
【００３２】
すなわち、前記支持台を飲食用のテーブルとすることで、コンビニエンスストアやコーヒーショップ、ファーストフード店、自動販売機などで購入した飲食物をその場で飲食するのに便利となるようにして、休憩所などに設置するのに適したものとしたものである。
【００３３】
また、この発明に係る送風装置に用いられる上昇風発生用送風機は、吐出口が上方を指向している状態で支持台に連繋して支持されていることを特徴としている。
【発明の効果】
【００３４】
この発明に係る送風装置によれば、送風機の近傍に居る利用者に上方から送風するから、送風域には障害物が存在せず、利用者に確実に送風される。
しかも、空気フィルタを通過することにより、塵埃などが含まれてない清浄な空気を送風できる。
【００３５】
また、送風機が設置された支持台を利用して、快適に作業や休憩を行える。しかも、上方から風を受けるため、扇風機のように横から風を受ける場合と違って、支持台上の作業に係る部品や書類などが風によって不用意に吹き飛ばされることを極力防止できる。
【００３６】
また、送風機から発せられた上昇風が前記風向変更装置の傘状に形成された傘部に衝突して生じる下降風は、送風機を中心とした円周上の全域にわたって送られる。このため、傘部の平面視の形状を円形や多角形にすると共に、前記支持台を円形や多角形など傘部の平面視の形状と相似の形状とすれば、この支持台の周囲に上方から送風できて、支持台の周縁部に居る利用者に上方から風が送られる。
【００３７】
また、風向変更装置を交換することにより、送風機から発せられた上昇風の方向を所望の方向へ変更させたり、送風の届く範囲を変更させたりすることができる。
【００３８】
風向変更装置をテントの屋根部とする場合には、該テント内で移動しても上方からの送風を受けられるから、送風域に障害物が存在せず、移動を伴う作業を行う場合であっても作業時の快適性が維持される。
【００３９】
また、送風機をパイプや形鋼などで組み立てられた適宜なフレームに保持させて、例えば地上に置いた状態で用いることができるが、支持台に連繋して設けることにより、安定した送風を行うことができる。
【００４０】
また、送風機から温風を吹き出させる場合には、暖かい雰囲気中で休憩や作業などを行うことができ、冬季であっても快適に過ごすことができる。
【００４１】
また、任意の方向への送風を行わないようにすることで、例えば、風に当たりたくない者が同席する場合に当該者への送風を抑制することができ、送風に対する好みの違う者同士が同席することができる。
【００４２】
また、テーマパークなどの屋外休憩所やコンビニエンスストア、ファーストフード店、コーヒーショップ、自動販売機の近傍などに設置することにより、屋外での飲食や会話を楽しみながら快適に過ごすことができる。
【図面の簡単な説明】
【００４３】
【図１】この発明に係る送付装置および上昇風発生用送風機を説明する正面図であり、テーブルの一部を切断して示してある。
【図２】図１に示す送風装置および上昇風発生用送風機を説明する概略の斜視図である。
【図３】図１に示す送風装置の構成を説明する概略の分解斜視図である。
【図４】図１示す１−１線に沿って切断した断面図である。
【図５】この発明に係る送風装置の他の実施形態を示す概略の斜視図である。
【発明を実施するための形態】
【００４４】
以下、図示した好ましい実施の形態に基づいて、この発明に係る送風装置および上昇風発生用送風機を具体的に説明する。
【００４５】
図１から図４にこの発明に係る送風装置１の第１実施形態を示してあり、この実施形態に係る送風装置１は、主として送風機２と風向変更装置としての風案内傘３と該風案内傘３を支持する支持フレーム４とにより構成されている。また、送風機２の吸込口には空気フィルタ21が取り付けられている。
この実施形態では前記送風機２の支持台に円形のテーブル５が用いられた場合を示してあるが、テーブル５に限らず、支持台としては、工作の際の作業台や書面などを広げるための書類机などであっても構わない。また、支持台の天板の形状は円形に限るものではない。
そして、この発明に係る上昇風発生用送風機７は、送風機２と支持台としてのテーブル５とから構成されている。
【００４６】
上昇風発生用送風機７を構成する送風機２は、後述するように、上方を指向させて吐出口2aが配されており、上方に向けて送風される上昇風を発生するようにしてある。また、この送風機２の吸込口は吐出口2aの反対側に設けられており、この吸込口（図示せず）には図１と図３に示すように、空気フィルタ21が取り付けられている。この空気フィルタ21はＰＭ２．５を捕捉できる仕様のものが好ましく、空気フィルタ21によって微小粒子状物質が除去された空気が吐出口2aから送風されるようにしてある。なお、この送付装置１が景勝地や観光地などのような清浄な空気を期待できる場所で用いられる場合には、送風機２にこの空気フィルタ21を具備させなくても構わない。
【００４７】
上昇風発生用送風機７を構成するテーブル５には、図３に示すように、送風機２を挿通させることができる開口5aが形成されている。この開口5aに送風機２を挿通させた状態で、送風機２の吐出口2aが上方を指向するようにしてある。この開口5aの周縁部には、図３に示すように、等間隔に四つの挿通孔5cが形成されている。送風機２の胴部の中央にはフランジ部22が設けられており、送風機２の胴部を開口5aに挿通させた際に、このフランジ部22が開口5aの上側の縁部に当接して送風機２の下半部がテーブル５の天板5bの下方に位置するようにしてある。また、このフランジ部22には、前記挿通孔5cと合致する位置に、図３に示すように、取付孔22aが形成されている。
【００４８】
開口5aに挿入された送風機２の周囲を囲んだ状態に、前記支持フレーム４の４本のロッド4aのそれぞれの脚部4bが配されている。この支持フレーム４は、図１と図２に示すように、脚部4bの下端部が前記フランジ部22の取付孔22aとテーブル５の天板5bの挿通孔5cとを貫通する。この脚部4bの先端部に雄ねじを形成し、固定部材4eをこの雄ねじに螺合する雌ねじが形成されたナットとすることができる。なお、脚部4bを天板5bに固定するための固定部材4eはナットに限らず、その他の手段であっても構わない。また、脚部4bとは別個のボルトなどを用いて、ナットなどの固定手段4eと組み合わせて固定する構造とすることもできる。
【００４９】
前記支持フレーム４はクランク状に折り曲げられた４本のロッド4aからなり、一端部に前記脚部4bが形成され、他端部が支持部4cとされている。図４に示すように、これら支持部4cが接近して配され、こららの支持部4cの中央部に断面形状が円筒形の支持ロッド部4dが配されて、支持部4cのそれぞれが支持ロッド部4dに溶接などにより固定されている。
【００５０】
前記風案内傘３は、柄3aの一端部に平面視が円形や多角形をした傘状の傘部3bが支持されて構成されている。支持ロッド部4dにはこの風案内傘３の柄3aの他端部が挿抜自在に挿入されており、この挿入位置に応じて傘部3bの高さが変更されるようにしてある。また、柄3aの構造をテレスコピックとして伸縮自在とすることにより、柄3aの長さを変更できるようにすることもできる。さらに、前記傘部3bの形状や外径寸法などが異なる種々の風案内傘３を前記支持ロッド部4dに支持させることができるようにして、種々の風案内傘３に互換性を具備させることが好ましい。なお、支持ロッド部4dに対して柄3aの先端部を固定する固定手段が設けられている。例えば、図４に示すように、支持ロッド部4dと柄3aとのそれぞれの適宜位置に透孔を形成し、これらの透孔を合致させて固定ボルト6aを挿通させ、該固定ボルト6aのネジ部に固定ナット6bを締め付ける構造その他の構造により支持ロッド部4dに風案内傘３の柄3aを固定させることができる。
【００５１】
以上により構成されたこの発明の図１から図４に示す第１実施形態に係る送風装置１の作用を、以下に説明する。
【００５２】
テーブル５の天板5bに形成された開口5aに送風機２を挿入すると、図２に示すように、フランジ部22が天板5bの上面で開口5aの周縁に当接して、送風機２が保持される。このとき、フランジ部22に形成された取付孔22aと天板5bの開口5aの周縁部に形成された挿通孔5cとを一致させ、支持フレーム４の４本の脚部4bの先端をこれら取付孔22aと挿通孔5cとに挿通させる。天板5bの下方に突出した脚部4bの先端に固定部材4eを連繋させてこれら４本の脚部4bを固定する。脚部4bの先端部に雄ねじが形成されているものでは、ナットによる固定部材4eをこの雌ねじに螺合させて締め付けることにより、簡便に固定することができる。
これにより、送風機２がフランジ部22を介して天板5bに固定されて、上昇風発生送風機７が組み立てられると共に、支持フレーム４のロッド4aで囲まれた状態となる。
次いで、前記支持ロッド部4dに前記風案内傘３の柄3aを挿入して固定ボルト6aと固定ナット6bとからなる構造その他の構造による固定手段を用いて固定すると、図１と図２に示すように、送風装置１が設置された状態となる。
【００５３】
前記送風機２を作動させて吐出口2aから送風すると、風案内傘３の柄3aに沿って図１上矢標Ｐで示す上昇風が生じる。
送風機２の吸込口には空気フィルタ21が取り付けられているから、送風機２に吸い込まれる空気から塵埃などが捕捉される。したがって、上昇風Ｐからは塵埃などが除去されて、清浄な空気が送られる。この空気フィルタ21がＰＭ２．５を捕捉できるものとしてあれば、前記上昇風Ｐ中には微小粒子状物質が含まれておらず、さらに清浄な空気が吐出される。
【００５４】
この上昇風Ｐが風案内傘３に到達すると、傘部3bの内側面に案内されて方向が変更される。傘部3bの内側面は曲面または傾斜面の一部で形成されているから、内側面に沿って案内されると図１上矢標Ｒで示す方向に変更され、傘部3bの案内から離脱した後には同図上矢標Ｑで示す下降風が生じる。この下降風Ｑは円形または多角形の傘部3bの周縁部の全域から送られるため、送風機２を中心とした円周に沿って３６０度の範囲で送風される。このため、このテーブル５の周囲に居る利用者には上方からの風が送られる。しかも、上方から送られる風を遮る障害物が存在しないから、下降風Ｑは確実に利用者に届くことになる。したがって、夏季でもこのテーブル５において作業や飲食、会話などを行う利用者にとっては風を受けて暑さを凌ぐことができて、作業時や飲食時の快適性が向上する。
特に、送風機２取り付けられた空気フィルタ21により利用者が受ける送風中の塵埃などが除去されているので、例えば、飲食などを行っている場合に塵埃などによる被害が減少する。
また、下降した風がテーブル５の下方に達すると、再び送風機２の吸込口から吸い込まれ、吐出口2aから吐出されて上昇風Ｐが生じる。このため、一部の空気が送風機２と風案内傘３との間を循環して、外部から供給される熱を含んだ空気の量が減じられ、利用者に送られる下降風Ｑから暑気による不快感が減じられる。さらに、空気フィルタ21による塵埃の除去が効率よく行われることにもなる。
【００５５】
送風機２のオン・オフをテーブル５の利用者の操作によって行えるようにすれば、利用者が居ない場合に送風機２が作動することを防ぐことができる。または、人感センサーによって送風機２のオン・オフを行わせるようにすることもできる。
【００５６】
また、前記送風機２から温風を発することができるようにすれば、前記下降風Ｑを温風にして供給できるので、冬季にもこの送風装置１を利用することにより屋外における作業や飲食などの際の快適性を向上させることができる。
【００５７】
以上に説明した実施形態では、円形のテーブル５に送風機２を保持させ、風向変更装置に平面視で円形や多角形の傘状とした傘部3bを備えた風案内傘３を用いた構造について説明したが、これらの形状に限定されるものではない。例えば、細長い帯状の吐出口を備えた送風機と傾斜した屋根状の庇からなる風向変更装置とを組み合わせる構造とすることもできる。この場合には、庇の下端側の先端部を、下方を指向するように湾曲させ、上昇風を庇の高部に衝突させれば、該庇の傾斜に沿って方向が変更され、庇の下端側の前記湾曲された部分によって下降風を生じさせることができる。また、この場合には、支持台は前記吐出口の長さとほぼ等しい長さの辺を有する矩形のテーブルとすることができる。
また、矩形のテーブルの中央部に送風機２を載置させて下降風を生じさせることもでき、さらに矩形のテーブルに平面視で矩形の傘部を備えた風案内傘を組み合わせることもできる。
【００５８】
また、図５に示す第２実施形態のように、支柱により支持される日よけ用テントなどの自立式のテント10と上昇風発生用送風機７とを組み合わせた送風装置１とすることも好ましい。図５にはこの種のテント10を備えた送風装置１の概略を示してあり、屋根形状に形成されたシートからなる屋根部10aが支柱10bによって支持されて、直射日光を遮る日よけ用などに供される。
テント10の屋根部10aの下方にテーブル５と送風機２とからなる上昇風発生用送風機７を配置する。この場合には屋根部10aが風向変更装置となり、送風機２から送られる上昇風は屋根部10aの内側面に沿って方向が変更されて該内側面に沿って流れ、屋根部10aの下端のスカート部10cに沿って下方に方向が変更されて下降風が生じる。この下降風がテント10内に居る者に吹き付けられて、これらの者の快適性を向上させる。
【００５９】
この種のテント10では、縦横が約２５００mm ｘ ２５００mmの広さで、１台の上昇風発生用送風機７を設置することで利用者の快適性を確保できる。なお、設置する上昇風発生用送風機７の仕様や台数は、テント内での作業に応じたり、テント10の大きさに応じたりして設定すればよい。
【００６０】
また、テント10などで使用する場合には、このテント10を使用する状況や環境、屋根部までの高さなどに応じてテーブル５に替えて適宜な高さの置き台などの支持台を用いるようにすることもできる。または、テーブル５を適宜な高さの置き台の載置させて用いることもできる。
【００６１】
また、少なくとも２本のロープとペグとが組み合わされた支持手段にポールが支持され、このポールに日よけのためのシートを張設するいわゆるタープ式テントの下方にテーブル５と送風機２とからなる上昇風発生用送風機７を配置することもできる。この場合にはシートが風向変更装置となり、送風機２からの上昇風がシートで方向が変更されシートの下面に沿って流れ、シートの下端近傍に居る者に風を当てて快適にすることになる。
【００６２】
さらに、前記送風機２の吐出口2aを任意の数の区画に分割し、その区画ごとに遮蔽板を設けて、任意の部分からの風の吹き出しを遮断できるようにする。遮蔽板で吐出口の一部を遮断することにより、風に当たることを嫌う者には送風を行わないようにすることができる。さらに、前記遮蔽板による吐出口の開度を調整できるようにすれば好ましい。
【００６３】
また、風向変更装置にミスト発生装置を取り付けて、送風機２から発せられた風にミストを伴わせることもできる。なお、ミストを伴わせる場合には、上昇風の方向が変更される際の風や下降風に含ませることが好ましい。
【００６４】
また、以上の説明では、空気フィルタを送風機２の吸込口に取り付けたものとして説明したが、吐出口2aに取り付けても構わない。吸込口に取り付けた構造では、送風機２の内部に塵埃が侵入することを防止できるので好ましい。
【００６５】
さらに、以上の説明は、この送風装置１を屋外に設置した場合について説明したが、屋内に設置することもできることは勿論である。
【００６６】
この発明に係る送風装置によれば、設置されたテーブルなどの周囲に上方から送風されるため、夏季に屋外で各種の作業を行ったり、飲食や会話を楽しんだりする際に暑気を回避でき、また、冬季には温風が上方から送られて、夏季、冬季に拘わらず快適な空間を確保できるので、例えば、コンビニエンスストアやコーヒーショップなどの屋外に快適な飲食スペースを提供でき、これらの店舗の集客に寄与することができる。
【符号の説明】
【００６７】
１  送風装置
２  送風機
2a  吐出口
21  空気フィルタ
22  フランジ部
22a  取付孔
３  風案内傘（風向変更装置）
3a  柄
3b  傘部
４  支持フレーム
4a  脚部
4b  ロッド
4c  支持部
4d  支持ロッド部
4e  固定部材
41  固定ネジ
５  テーブル（支持台）
5a  開口
5b  天板
5c  挿通孔
6a  固定ボルト
6b  固定ナット
７  上昇風発生用送風機
10  テント
10a  屋根部（風向変更装置）
10b  支柱
10c  スカート部
Ｐ  上昇風
Ｑ  下降風
【図１】
2020012463.tif 000003
【図２】
2020012463.tif 000004
【図３】
2020012463.tif 000005
【図４】
2020012463.tif 000006
【図５】
2020012463.tif 000007